(57)【要約】【課題】  先端工具の向きを変更した場合でも、先端工具と被削材を照射可能な電動工具の提供。【解決手段】本発明の電動工具１は、モータ３と、出力軸５１を有しモータ３により駆動される出力部５と、先端工具８及び該先端工具８近傍を照射可能な光源６１を備えた照明ユニット６と、を備えている。先端工具８は、出力軸５１に対して円周方向に複数の位置で取り付けることができ、照明ユニット６は、複数の位置に取り付けられた先端工具８に照射することができる。【選択図】図３
2014198354.tif 000002
【特許請求の範囲】
【請求項１】
駆動源と、
出力軸を有し該駆動源により駆動される出力部と、
先端工具及び該先端工具近傍を照射可能な照射部を備えた照明ユニットと、
を備え、
該出力軸に対して円周方向に複数の位置で該先端工具を取付可能に構成された電動工具であって、
該照明ユニットは、該複数の位置に取り付けられた該先端工具に照射可能であることを特徴とする電動工具。
【請求項２】
駆動源と、
該駆動源により駆動され、先端工具を着脱可能に保持する出力部と、
該先端工具及び該先端工具近傍を照射可能な照射部を備えた照明ユニットと、
を備える電動工具であって、
該照射部の照射方向を変更可能であることを特徴とする電動工具。
【請求項３】
該出力部は、出力軸に対して円周方向に該先端工具の取付方向を変更可能に保持し、
該照射方向を該先端工具の向きに合わせて変更可能であることを特徴とする請求項２に記載の電動工具。
【請求項４】
該照明ユニットは、該光を反射する反射部材をさらに備えることを特徴とする請求項１乃至３のいずれか１項に記載の電動工具。
【請求項５】
該反射部材は、鏡であることを特徴とする請求項４に記載の電動工具。
【請求項６】
該反射部材は、プリズムであることを特徴とする請求項４に記載の電動工具。
【請求項７】
該照明ユニットは、該反射部材を支持するための支持部をさらに備え、該反射部材は該支持部に回動可能に支持されていることを特徴とする請求項４に記載の電動工具。
【請求項８】
該駆動源を収容するハウジングをさらに備え、
該照明ユニットは、該ハウジングに対して可動することを特徴とする請求項１乃至３のいずれか１項に記載の電動工具。
【請求項９】
該出力部は、出力軸を備え、
該照明ユニットは、該出力軸を中心に回転可能であることを特徴とする請求項８に記載の電動工具。
【請求項１０】
該照明ユニットに電力を供給可能な電力供給部と、
該照明ユニット又は該ハウジングのいずれか一方に設けられ、該出力軸の円周方向全周に亘って形成された第１電極と、
該照明ユニット又は該ハウジングの残りの他方に設けられ、該第１電極と常時当接する第２電極と、をさらに備え、
該第１電極と該第２電極とが当接することにより該照明ユニットに該電力供給部からの電力が供給されることを特徴とする請求項９に記載の電動工具。
【請求項１１】
駆動源と、
該駆動源により駆動され、出力軸に対して円周方向に先端工具の取付方向を変更可能な出力部と、
該出力部の近傍を照射可能な複数の照射部を備える照明ユニットと、
を備えることを特徴とする電動工具。
【請求項１２】
該出力部は、先端工具を着脱可能に保持し、
該照明ユニットは、光を反射する反射部材をさらに備え、
該反射部材は、該光を該先端工具の延出方向に反射することを特徴とする請求項１１に記載の電動工具。
【請求項１３】
該複数の照射部のうちの少なくとも１つの照射部が該光を照射することを特徴とする請求項１１又は請求項１２に記載の電動工具。
【請求項１４】
該駆動源及び該照明ユニットに電力を供給する電力供給部と、
該駆動源及び該照明ユニットに電力を切替える操作部と、
該操作部が設けられた操作面と、該出力部が突出する出力面と、該操作面と該出力面とを繋ぐ側面とを備えるハウジングをさらに備え、
該照明ユニットは、該出力面に設けられていることを特徴とする請求項１１又は請求項１２に記載の電動工具。
【請求項１５】
該駆動源及び該照明ユニットに電力を供給する電力供給部と、
該駆動源及び該照明ユニットに電力を切替える操作部と、
該操作部が設けられた操作面と、該出力部が突出する出力面と、該操作面と該出力面とを繋ぐ側面とを備えるハウジングをさらに備え、
該照明ユニットは、該側面に設けられていることを特徴とする請求項１１乃至請求項１３のいずれか１項に記載の電動工具。
【請求項１６】
該照明ユニットに電力を供給可能な電力供給部と、
該複数の照射部のうちのいずれの照射部を点灯させるかを選択する選択部と、
該選択部の選択に基づいて、該複数の照射部のうちの少なくとも１つに電力を供給する制御部と、を備えていることを特徴とする請求項１１乃至１３のいずれか１項に記載の電動工具。
【発明の詳細な説明】
【技術分野】
【０００１】
本発明は、電動工具に関し、特に出力軸に取り付けられた先端工具を振動させる電動工具に関する。
【背景技術】
【０００２】
従来の電動工具は、電動モータやエアモータ等の駆動源と、駆動源により出力軸を所定の角度範囲で回転方向に振動させるようにした出力軸と、を主に備えている。電動工具は、出力軸に先端工具を装着することにより、切断作業、研削、研磨作業、剥離作業等の様々な作業に用いることができる。
【０００３】
先端工具としては、鋸歯を備えたもの、端部または平面部にダイヤモンドチップやカーバイトチップ等が固定されたもの、スクレーパ形状のもの等が用いられる。これらの先端工具は、作業内容に応じて、先端工具の向きを所定の角度で選択的に変更することができる(例えば、特許文献１)。
【先行技術文献】
【特許文献】
【０００４】
【特許文献１】特開２０１２−２３２３８１号公報
【発明の概要】
【発明が解決しようとする課題】
【０００５】
また、従来の電動工具では、暗所等の作業環境にも対応できるように、電動工具本体の前方を照射するＬＥＤライトを配置したものが知られている。しかし、ＬＥＤライトが電動工具本体に固定されているため、先端工具の向きを変更して先端工具の先端部がＬＥＤライトの照射範囲から外れた場合に、先端工具と被削材とを照射することができず、暗所での作業が困難であった。
【０００６】
そこで、本発明は、先端工具の向きを変更した場合でも、先端工具と被削材とを照射可能な電動工具を提供することを目的とする。
【課題を解決するための手段】
【０００７】
上記課題を解決するために、本発明の電動工具は、駆動源と、出力軸を有し該駆動源により駆動される出力部と、先端工具及び該先端工具近傍を照射可能な照射部を備えた照明ユニットと、を備え、該出力軸に対して円周方向に複数の位置で先端工具を取付可能に構成された電動工具であって、該照明ユニットは、該複数の位置に取り付けられた該先端工具に照射可能であることを特徴とする電動工具を提供する。
【０００８】
このような構成によると、照射部の照射方向を変更可能なため、先端工具の向きを変更した場合でも先端工具と被削材とを照射することができる。これにより、暗所での作業性が向上する。
【０００９】
本発明の別の観点によると、駆動源と、該駆動源により駆動され、先端工具を着脱可能に保持する出力部と、該先端工具及び該先端工具近傍を照射可能な照射部を備えた照明ユニットと、を備える電動工具であって、該照射部の照射方向を変更可能な電動工具を提供する。
【００１０】
このような構成によると、照射部の照射方向を変更可能なため、先端工具の向きを変更した場合でも先端工具と被削材とを照射することができる。これにより、暗所での作業性が向上する。
【００１１】
また、該出力部は、出力軸に対して円周方向に該先端工具の取付方向を変更可能に保持し、該照射方向を該先端工具の向きに合わせて変更可能であることが好ましい。
【００１２】
このような構成によると、先端工具の向きを変更した場合でも先端工具の向きに合わせて光を照射可能であるため、先端工具と被削材とを照射することができる。これにより、暗所での作業性が向上する。
【００１３】
また、該照明ユニットは、該光を反射する反射部材をさらに備えることが好ましい。
【００１４】
このような構成によると、照射部から照射された光が反射部材によって反射され、先端工具及び先端工具近傍を照射できるため、暗所での作業性が向上する。
【００１５】
また、該反射部材は、鏡であることが好ましい。
【００１６】
このような構成によると、鏡によって照射部から照射された光を全反射させて先端工具及び先端工具近傍を照射できるため、暗所での作業性が向上する。
【００１７】
また、該反射部材は、プリズムであることが好ましい。
【００１８】
このような構成によると、材料の屈折率と反射角度を適切に選定することができ、金属蒸着膜等の特殊処理を行うことなく、プリズム内部で全反射を得ることができる。
【００１９】
また、該照明ユニットは、該反射部材を支持するための支持部をさらに備え、該反射部材は該支持部に回動可能に支持されていることが好ましい。
【００２０】
このような構成によると、照射部から照射された光の進行方向を作業上適当な方向に変更することができるため、暗所での作業性が向上する。
【００２１】
該駆動源を収容するハウジングをさらに備え、該照明ユニットは、該ハウジングに対して可動することが好ましい。
【００２２】
このような構成によると、先端工具の位置に応じて照射部を備えた照明ユニットを作業上適当な位置に配置することで、照射範囲を任意の方向に変更できる。これにより、暗所での作業性が向上する。特に、狭所等での特殊な作業環境で先端工具の向きを変更する必要がある場合は、照射部が電動工具本体に固定されている場合と比べ、作業性の向上が一層期待できる。
【００２３】
該出力部は、出力軸を備え、該照明ユニットは、該出力軸を中心に回転可能であることが好ましい。
【００２４】
このような構成によると、照明ユニットを出力軸周囲に設けることで、照明ユニットを先端工具の近傍に配置することができるため、照射部の光を効率的に利用することができる。
【００２５】
また、該照明ユニットに電力を供給可能な電力供給部と、該照明ユニット又は該ハウジングのいずれか一方に設けられ、該出力軸の円周方向全周に亘って形成された第１電極と、該照明ユニット又は該ハウジングの残りの他方に設けられ、該第１電極と常時当接する第２電極と、をさらに備え、該第１電極と該第２電極とが当接することにより該照明ユニットに該電力供給部からの電力が供給されることが好ましい。
【００２６】
このような構成によると、照明ユニットが出力軸を中心に回転したとしても、第１電極と第２電極とは、常に接触しているため、確実に電力供給部からの電力を照明ユニットに供給することができる。また、第１電極は、出力軸の円周方向全周に亘って設けられているため、照明ユニットが出力軸を中心に複数回回転させたとしたとしても、照明ユニットへの配線がねじれることを防止できる。
【００２７】
本発明の別の観点によると、駆動源と、該駆動源により駆動され、出力軸に対して円周方向に先端工具の取付方向を変更可能な出力部と、該出力部の近傍を照射可能な複数の照射部を備える照明ユニットと、を備える電動工具を提供する。
【００２８】
このような構成によると、照明ユニットは複数の照射部を備えているため、先端工具の向きを変更した場合でも先端工具と被削材とを照射することができる。これにより、暗所での作業性が向上する。
【００２９】
また、該出力部は、先端工具を着脱可能に保持し、該照明ユニットは、光を反射する反射部材をさらに備え、該反射部材は、該光を該先端工具の延出方向に反射することが好ましい。
【００３０】
このような構成によると、照射部の照射方向を変更可能なため、先端工具の向きを変更した場合でも先端工具と被削材とを照射することができる。これにより、暗所での作業性が向上する。
【００３１】
また、該複数の照射部のうちの少なくとも１つの照射部が該光を照射することが好ましい。
【００３２】
このような構成によると、複数の照射部のうち、必要な個所のみ光を照射することから、省エネの効果が期待できる。
【００３３】
また、該駆動源及び該照明ユニットに電力を供給する電力供給部と、該駆動源及び該照明ユニットに電力を切替える操作部と、該操作部が設けられた操作面と、該出力部が突出する出力面と、該操作面と該出力面とを繋ぐ側面とを備えるハウジングをさらに備え、該照明ユニットは、該出力面に設けられていることが好ましい。
【００３４】
このような構成によると、照明ユニットが出力軸の近傍に位置することとなるため、出力軸に取付けられた先端工具に効率的に照射部の光を照射することができる。また、出力軸のハウジングからの突出している箇所と先端工具との間のデッドスペースに照明ユニットを配置することができるため、デッドスペースを有効活用することができる。これにより、電動工具の大型化を回避することができる。
【００３５】
また、該駆動源及び該照明ユニットに電力を供給する電力供給部と、該駆動源及び該照明ユニットに電力を切替える操作部と、該操作部が設けられた操作面と、該出力部が突出する出力面と、該操作面と該出力面とを繋ぐ側面とを備えるハウジングをさらに備え、該照明ユニットは、該側面に設けられていることが好ましい。
【００３６】
このような構成によると、照明ユニットがハウジングの側面に取付けられているため、より遠方を照射することが可能になる。これにより、長い先端工具を取り付けた場合であっても、先端工具及び被削材を確実に照射することができる。
【００３７】
また、該照明ユニットに電力を供給可能な電力供給部と、該複数の照射部のうちのいずれの照射部を点灯させるかを選択する選択部と、該選択部の選択に基づいて、該複数の照射部のうちの少なくとも１つに電力を供給する制御部と、を備えていることが好ましい。
【００３８】
このような構成によると、複数の照射部のうち、必要な個所のみ光を照射することから、省エネの効果が期待できる。また、選択部を切替えることにより作業者が所望した位置の照射部から光を照射することができる。
【発明の効果】
【００３９】
本発明によれば、暗所での作業性を向上させるため、先端工具の向きを変更した場合でも、先端工具と被削材を照射可能な電動工具を提供することができる。
【図面の簡単な説明】
【００４０】
【図１】本発明の第１の実施の形態の電動工具の断面図。
【図２】本発明の第１の実施の形態の電動工具の工具装着部の分解斜視図。
【図３】本発明の第１の実施の形態の照明ユニット周辺の部分拡大図。
【図４】本発明の第１の実施の形態の反射体の光の反射を説明するための概略図。
【図５】本発明の第１の実施の形態の先端工具の先端部周辺を光源が照射している図。
【図６】本発明の第１の実施の形態の変形例１の電動工具の反射体の光の反射を説明するための概略図。
【図７】本発明の第１の実施の形態の変形例２の電動工具の反射体の光の反射を説明するための概略図。
【図８】本発明の第２の実施の形態の電動工具の断面図。
【図９】本発明の第２の実施の形態の照明ユニット周辺の部分拡大図。
【図１０】本発明の第２の実施の形態の第１電極及び第２電極を説明するための図。
【図１１】本発明の第２の実施の形態の電動工具の照明ユニット周辺の底面図
【図１２】本発明の第２の実施の形態の変形例１の電動工具の平面図。
【図１３】本発明の第２の実施の形態の変形例１の照明ユニット周辺の底面図。
【図１４】本発明の第２の実施の形態の変形例１の操作部の操作と点灯する光源の位置関係を説明するための図。
【図１５】本発明の第２の実施の形態の変形例２の電動工具の照明ユニット周辺の底面図
【図１６】本発明の変形例の電動工具の照射範囲を説明するための図。
【発明を実施するための最良の形態】
【００４１】
本発明の第１の実施の形態の電動工具について、図１から図７に基づいて説明する。図１は、電動工具１の断面図である。電動工具１は、ハウジング２と、モータ３と、振動機構部４と、出力部５と、照明ユニット６と、電池７と、から主に構成されている。モータ３に対して、出力部５が設けられている方向を前方向と定義し、モータ３に対して電池７が設けられている方向を後方向と定義する。ハウジング２から出力部５が延出している方向を下方向と定義し、逆を上方向と定義する。また、後から見て右を右方向、左を左方向と定義する。
【００４２】
ハウジング２は、略円筒形状をなし、モータ３と、振動機構部４と、出力部５の一部と、照明ユニット６の一部と、を収容している。ハウジング２の上面（操作面）２Ａには、モータ３への電源の供給を切り替える操作部２１が設けられている。ハウジング２の下面（出力面）２Ｂからは、後述の出力軸５１が突出している。ハウジング２の側面２Ｃは、上面２Ａと下面２Ｂとを繋いでいる。操作部２１は、後方に延びる板状の部材の連結片２２を備えている。連結片２２の前端は操作部２１に固定されており、連結片２２の後端は、スイッチ機構２３と当接している。操作部２１が操作されることにより、連結片２２を介してスイッチ機構２３がオン状態となり、モータ３に電池７から電源が供給される。モータ３は本発明の駆動源に相当し、電池７は本発明の電力供給部に相当する。
【００４３】
ハウジング２の前部には、出力部５を支持するホルダ２Ｄが設けられている。ハウジング２の後部であって、電池７の近傍には、駆動回路２４と、ダイヤル２５と、が設けられている。駆動回路２４は、モータ３及びスイッチ機構２３と電気的に接続されており、モータ３の駆動を制御している。ダイヤル２５は、駆動回路２４と電気的に接続されており、ダイヤル２５が操作されることにより、モータ３の回転数を変更することができる。駆動回路２４は、本発明の制御部に相当する。
【００４４】
モータ３は、前後方向に延びるモータ出力軸３１を備えていて、ベアリングホルダ３２によってハウジング２に支持されている。ベアリングホルダ３２は、後述のスピンドル４１を回転可能に支承するベアリング３３が設けられている。
【００４５】
振動機構部４は、ベアリングホルダ３２によって支持されていて、スピンドル４１と、スイングアーム４２と、を備えている。スピンドル４１は、モータ出力軸３１に同軸的に固定されており、モータ出力軸３１に対して偏心回転する偏心軸４１Ａが設けられている。偏心軸４１Ａには、ボールベアリング４３が装着されており、ボールベアリング４３は、偏心軸４１Ａとともにモータ出力軸３１に対して偏心回転する。
【００４６】
スイングアーム４２の前端部は後述の出力軸５１に固定されていて、後端部には、アーム部４２Ａが設けられている。アーム部４２Ａは上面視略コ字状をなし、略コ字状の開口部は後方に向けて開口し、略コ字状の内部空間にボールベアリング４３が配置される。これにより、スイングアーム４２の偏心回転運動は、アーム部４２Ａの左右方向の往復運動に変換される。
【００４７】
出力部５は、出力軸５１と、ボルト５２と、を備えている。出力軸５１は、モータ出力軸３１の延出方向と略直交する方向である上下方向に延びており、ベアリング５３、５４によって、ハウジング２に対して回転可能に支承されている。ベアリング５３，５４は、ホルダ２Ｄによって支持されている。出力軸５１の下部には、先端工具８を着脱可能に保持する工具取付部５５が設けられている。図２に示すように、工具取付部５５は、先端工具８と当接する当接面５５Ａが規定されていて、当接面５５Ａには、下方に突出する略六角形の位置決め突起５５Ｂが設けられている。位置決め突起５５Ｂの中央部には、ねじ穴５５ａが形成されている。ボルト５２が、先端工具８及びワッシャ５２Ａを介してねじ穴５５ａと螺合することにより、先端工具８が工具取付部５５に固定される。先端工具８は、長方形状の板材を段差状に折り曲げて形成された基盤８Ａを備えている。この基盤８Ａは、例えば鋼板など磁石に接着する材質により形成されている。基盤８Ａの長手方向の一端には鋼板製のスクレーパ本体８Ｂが溶接により固定され、これにより先端工具８はスクレーパとして構成されている。スクレーパ本体８Ｂの先端には鋸形状の歯８Ｃ（図１、図１１）が設けられ、この歯８Ｃの部分を用いて剥離作業等が行われる。先端工具８には、位置決め突起５５Ｂに対応した位置決め孔８ａが形成されている。先端工具８の工具取付部５５に対する回転方向の位置（向き）は、位置決め突起５５Ｂに対する位置決め孔８ａの係合位置を回転方向にずらすことにより、回転方向に６０°毎にずらすことができる。そのため、出力軸５（工具取付部５５）に対する先端工具８の延出方向が変更可能に構成されている。つまり、出力軸に対して円周方向に複数の位置で先端工具を取り付けることができる。以下の説明において、出力軸５１の軸方向、円周方向、半径方向を、それぞれ単に軸方向、円周方向、半径方向という。
【００４８】
照明ユニット６は、出力部５の前方であって先端工具８の上方に位置していて、ＬＥＤ等の光源６１と、光源ホルダ６２と、反射体６３と、反射体ホルダ６４と、を備えている。光源６１は、配線６５によって駆動回路２４と電気的に接続されていて、スイッチ機構２３がオンされると、モータ３の駆動とともに光源６１から光が照射される。光源６１から照射された光は、光源中心軸６１ａ上を進行する。光源ホルダ６２には、上下方向に貫通する支持孔６２ａが形成されていて、支持孔６２ａに光源６１が挿入されることにより、光源６１を固定支持している。光源ホルダ６２は、ホルダ２Ｄの外周面に固定されている。反射体６３は、光源６１から照射された光の方向を変えるための部材であり、光を全反射することが可能な鏡から構成される。反射体６３は、光源中心軸６１ａ上に配置されており、垂直方向に対して所定の角度傾斜している。反射体ホルダ６４は、反射体６３を支持していて、光源ホルダ６２の回転軸６１ａに対して周方向に３６０°回転可能に設けられている。反射体６３は、本発明の反射部材に相当する。
【００４９】
図４を参照して、光の反射について詳細に説明する。光源６１からの光は、光源中心軸６１ａに沿って進行し反射体６３の法線６３ａに対して入射角θ１で入射して、反射体６３の反射面６３Ａで全反射し、反射角θ２（＝θ１）で出射する。詳細には、反射した光は、反射面６３Ａの法線６３ａから反射角θ２だけ傾斜した反射軸６３ｂに沿って進行する。このとき、反射光は、側面視において照射範囲６１ｂの範囲まで広がる。
【００５０】
次に、電動工具１の動作について説明する。作業者が操作部２１を操作すると、スイッチ機構２３がオンとなって、ダイヤル２５によって定められた回転数でモータ３が回転すると同時に光源６１が点灯する。モータ３の回転は、スピンドル４１を介して偏心軸４１Ａ及びボールベアリング４３に伝達され、偏心軸４１Ａ及びボールベアリング４３はともにモータ出力軸３１に対して偏心回転する。この偏心回転運動は、アーム部４２Ａによって往復運動に変換される。スイングアーム４２の前端部は出力軸５１に固定されているため、スイングアーム４２は出力軸５１を中心として回動する。これにより、出力軸５１が振動（円周方向に回動）し、先端工具８が振動（出力軸５１を中心に回動）する。具体的には、出力軸５１は１°〜５°の角度範囲、２０００〜３００００往復／分の速さで回転方向に振動駆動される。
【００５１】
図５Ａに示すように、先端工具８が前方に延びるように工具取付部５５に取り付けられている場合は、光源６１からの光の照射範囲６１ｂが前方となるように、反射体ホルダ６４を調整する。図５Ｂに示すように、先端工具８が前方から時計回り方向に６０°傾斜した位置に取り付けられている場合は、光源６１からの光の照射範囲６１ｂが先端工具８の先端部及びその周辺を照らすよう反射体ホルダ６４を回転させる。光源６１は、ハウジング２側に固定されているため、反射体ホルダ６４を複数回回転させたとしても、光源６１への配線等がねじれることがない。また、反射体ホルダ６４はハウジング２に対して円周方向に３６０°回転可能であるため、先端工具８を任意の位置に取り付けても、先端工具８及びその先端部を照射することができる。
【００５２】
このような構成によると、光源６１から照射された光の照射方向を変更可能なため、先端工具８の向きを変更した場合でも先端工具の向きに合わせて光を照射でき、先端工具８と被削材とを照射することができる。これにより、暗所での作業性が向上する。また、光の照射方向を任意の位置に変更することができるため、作業箇所以外にも照射することができる。
【００５３】
このような構成によると、光源６１から照射された光が反射体６３によって反射され、先端工具８及び先端工具８近傍を照射できるため、暗所での作業性が向上する。
【００５４】
このような構成によると、鏡等の反射体６３によって光源６１から照射された光を全反射させて先端工具８及び先端工具８近傍を照射できるため、暗所での作業性が向上する。
【００５５】
次に、第１の実施の形態の変形例１について、図６に基づいて説明する。第１の実施の形態と同一の構成については、同一の符号を付し、説明を省略する。変形例１では、反射体６３を鏡に変えてプリズム１６３を用いている。
【００５６】
プリズム１６３に入射した光が全反射する条件について、以下説明する。プリズム１６３は、光が入射する入射面１６３Ａと、光が反射または通過する境界面１６３Ｂと、光が出射する出射面１６３Ｃと、が規定されている。プリズム１６３に入射する光の反射を抑えるため、入射面１６３Ａの光源中心軸６１ａ対する角度αは９０°に設定されている。同様に、プリズム１６３から出射する光の反射を抑えるため、出射面１６３Ｃの反射軸６３ｂに対する角度βも９０°に設定されている。光源６１は、光源中心軸６１ａ／反射軸６３ｂに近づくほど光の強度が強くなる。その強い強度を持つ光を入射面１６３Ａ／出射面１６３Ｃを９０°で入射／出射させることで、強い強度を持つ光が入射面１６３Ａ／出射面１６３Ｃで反射することを防止し、光源６１からの光を効率的に利用することができる。
【００５７】
次に、プリズム１６３の境界面１６３Ｂにおいて、光を全反射させる条件について検討する。空気の屈折率をｎ２、プリズム１６３の屈折率をｎ１、境界面１６３Ｂから反射する光の反射角をθ２、境界面１６３Ｂを通過する光の出射角をφとすると、スネルの法則により以下の式１が成立する。
2014198354.tif 000003
・・・（式１）
上記の式より、全反射のときはφが９０°、空気の屈折率は１であることを考慮すると、以下の式２を得る。
2014198354.tif 000004
・・・（式２）
ここで、本変形例１では、プリズム１６３としてポリカーボネートを採用しているため、屈折率ｎ１は１．５９となる。上記の式２より、入射面１６３Ａから入射した光が境界面１６３Ｂで全反射する入射角θ１は、３８．９７１°となる。したがって、変形例１では、入射角θ１を、３８．９７１°以上（例えば４０°以上）に設定する。なお、プリズムに光学ガラスを採用する場合は、光学ガラスの屈折率は１．５〜１．９程度なので、入射角θ１は３２〜４２°以上に設定することが好ましい。
【００５８】
このような構成によると、ポリカーボネート等の高分子材料であれば、複雑な形状であっても型成形することで用意に大量生産することができる。また、材料費も安価であるため、製造コストを削減することができる。
【００５９】
次に、本発明の第１の実施の形態の変形例２を図７に基づいて説明する。第１の実施の形態と同一の構成については、同一の符号を付し、説明を省略する。変形例２では、取付角度が変更可能な反射体２６３を用いている。
【００６０】
反射体２６３（鏡）には、支持部２６４が設けられていて、支持部２６４は反射体ホルダ６４に支持軸２６５を中心に回動可能に支持されている。図７Ｂの実線で示すように、反射体２６３を支持軸２６５を中心に回動させることにより、光の照射範囲６１ｂを照射範囲１６１ｂに変えることができる。換言すると、より遠方まで照射することが可能となる。反射体２６３の取付角度を反時計回りにΔθ回転させると（点線から実線の位置に回転させると）、入射角及び反射角は、それぞれθ１＋Δθ、θ２＋Δθとなる。これにより、照射範囲１６１ｂは、回動前の照射範囲６１ｂから反時計回りに２Δθ回転し（矢印）、照射範囲１６１ｂの範囲を照射する。また、反射光は反射軸１６３ｂに沿って進行する。
【００６１】
このような構成によると、光源６１から照射された光の進行方向を作業上適当な方向に変更することができるため、暗所での作業性が向上する。
【００６２】
次に、本発明の第２の実施の形態について、図８から図１１に基づいて説明する。上述の実施の形態と同一の構成については、同一の符号を付し、説明を省略する。図８に示す電動工具３０１では、光源ホルダ３６４が出力軸５１を中心に回転可能に設けられている。
【００６３】
図１０Ａは、図９のＸＡ−ＸＡに沿った断面図であり、図１０Ｂは、図９のＸＢ−ＸＢに沿った断面図である。図１０Ｂに示すように、ハウジング２内であって、出力軸５１の後方かつスイングアーム４２の下方には、第１電極３２１と、電極ホルダ３２２と、配線３２３と、電極ホルダ３２２に支持され第１電極３２１と配線３２３とを電気的に接続する電極支持部３２４と、が設けられている。第１電極３２１は、側面視略Ｕ字状をなし、支持部３２１Ａと、当接部３２１Ｂと、支持部３２１Ａと当接部３２１Ｂとを繋ぐ屈曲部３２１Ｃと、を備えている。支持部３２１Ａは、電極支持部３２４に固定されている。当接部３２１Ｂは、屈曲部３２１Ｃが屈曲されていることにより第１電極３２１に発生する復元力によって下方に付勢されている。配線３２３は、第１電極３２１と、駆動回路２４とを電気的に接続している。
【００６４】
図９に示すように、照明ユニット３０６はハウジング２の下面２Ｂに設けられていて、光源ホルダ３６４と、単一の光源３６１と、を備えている。光源ホルダ３６４は、略薄円板形状をなし、単一の光源３６１を収容し、上下方向においてハウジング２の下面と先端工具８との間に位置している。図１０Ａに示すように、光源ホルダ３６４には、上下方向に貫通する貫通孔３６４ａが形成されていて、出力軸５１が挿通されている。光源ホルダ３６４は、第２電極３６５と、複数の爪部３６６と、を備えている。第２電極３６５は、光源ホルダ３６４の上面であって貫通孔３６４ａの半径方向外方に、出力軸５１の円周方向全周に亘って設けられている。光源３６１は、配線３６７によって第２電極３６５と電気的に接続されている。第２電極３６５は、第１電極３２１に発生する復元力によって常時当接部３２１Ｂと当接している。これにより、第１電極３２１と第２電極３６５との導通を確実に確保し、光源３６１に確実に電力を供給することができる。
【００６５】
爪部３６６は、第２電極３６５の半径方向外方に円周方向に亘って複数設けられている。詳細には、爪部３６６は、約４５°毎に８つ設けられている。爪部３６６がハウジング２と係合することにより、光源ホルダ３６４はハウジング２に出力軸５１を中心に回転可能且つ係止可能に支持されている。なお、爪部３６６は、ホルダ２Ｄと係合してもよく、ハウジング２とホルダ２Ｄの両方に係合させてもよい。ホルダ２Ｄの下面であって第２電極３６５に対向する面と、第２電極３６５との間には、電極保護のための隙間が形成されている。
【００６６】
図１１Ａに示すように、先端工具８が前方に延びるように工具取付部５５に取り付けられている場合は、光源３６１が前方を向くように、光源ホルダ３６４を回転する。図１１Ｂに示すように、先端工具８が前方から時計回り方向に６０°傾斜した位置に取り付けられている場合は、光源３６１が先端工具８の先端部及びその周辺を照射可能なように光源ホルダ３６４を回転させる。光源３６１と駆動回路２４との間に第１電極３２１及び第２電極３６５が介在しているため、光源ホルダ３６４を複数回回転させたとしても、光源３６１への配線等がねじれることがない。また、光源ホルダ３６４はハウジング２に対して円周方向に３６０°回転可能であるため、先端工具８を任意の位置に取り付けても、先端工具８及びその先端部を照射することができる。
【００６７】
このような構成によると、先端工具８の位置に応じて光源３６１を備えた照明ユニット３０６を作業上適当な位置に配置することで、照射範囲を任意の方向に変更できる。これにより、暗所での作業性が向上する。特に、狭所等での特殊な作業環境で先端工具８の向きを変更する必要がある場合は、光源３６１が電動工具本体に固定されている場合と比べ、作業性の向上が一層期待できる。
【００６８】
このような構成によると、照明ユニット３０６を出力軸５１周囲に設けることで、照明ユニット３０６を先端工具８の近傍に配置することができるため、光源３６１の光を効率的に利用することができる。また、出力軸５１のハウジング２からの突出している出力面２Ｂと先端工具８との間のデッドスペースに照明ユニット３０６を配置することができるため、デッドスペースを有効活用することができる。これにより、電動工具３０１の大型化を回避することができる。
【００６９】
このような構成によると、照明ユニット３０６が出力軸５１を中心に回転したとしても、第１電極３２１と第２電極３６５とは、常に接触しているため、確実に駆動回路２４からの電力を照明ユニット３０６に供給することができる。また、第１電極３２１は、出力軸５１の円周方向全周に亘って設けられているため、照明ユニットが出力軸５１を中心に複数回回転させたとしたとしても、照明ユニット３０６への配線がねじれることを防止できる。
【００７０】
次に、第２実施例の変形例１を図１２から図１４に基づいて説明する。上述した実施の形態と同一の構成については、同一の符号を付し説明を省略する。変形例１では、光源ホルダ４６４には複数の光源４６１が設けられている。
【００７１】
図１２に示すように、光源ホルダ４６４には、４つの光源４６１が出力軸５１の周りに９０°毎に配置されている。光源ホルダ４６４は、ハウジング２に固定されている。
【００７２】
ハウジング２の上面であって、操作部２１の後方には、矢印４２１Ａを備えた光源操作部４２１が設けられている。光源操作部４２１は、駆動回路２４と電気的に接続されており、光源操作部４２１を回転させることで、複数の光源４２１のうちのいずれの光源を点灯させるかを選択することができる。詳細には、図１４Ａに示すように、矢印４２１Ａが前を指している場合、前に位置する光源４６１のみ点灯する。図１４Ｂに示すように、矢印４２１Ａが前と右との間を指している場合、前と右の両方の光源４２１が点灯する。図１４Ｃに示すように、矢印４２１Ａが右を指している場合、右に位置する光源４６１のみ点灯する。このように、矢印４２１Ａの指した方向に基づいて、複数の光源４６１のうちの少なくとも１つが点灯する。
【００７３】
このような構成によると、照明ユニットは複数の光源４６１を備えているため、先端工具８の向きを変更した場合でも先端工具８と被削材とを照射することができる。これにより、暗所での作業性が向上する。
【００７４】
このような構成によると、複数の光源４６１のうち、必要な個所のみ光を照射することから、省エネの効果が期待できる。
【００７５】
このような構成によると、照明ユニットが出力軸５１の近傍に位置することとなるため、出力軸５１に取付けられた先端工具８に効率的に照射部の光を照射することができる。
【００７６】
このような構成によると、複数の光源４６１のうち、必要な個所のみ光を照射することから、省エネの効果が期待できる。また、矢印４２１Ａを切替えることにより作業者が所望した位置の光源４６１から光を照射することができる。
【００７７】
次に第２の実施の形態の変形例２を図１５に基づいて説明する。上述した実施の形態と同一の構成については、同一の符号を付し説明を省略する
【００７８】
光源ホルダ５６４の半径方向外方の外周面には、光を反射する反射面５６４Ａが円周方向全周に亘って設けられている。光源ホルダ５６４は、ハウジング２に固定されている。光源ホルダ５６４の半径方向外方には、下面視略Ｕ字状の反射板５６５が設けられている。反射板５６５は、Ｕ字の空間内に位置する光源４６１の光をＵ字の開口部に向けて反射するように構成されている。反射板５６５は、出力軸５１を中心に回転可能である。反射板５６５は、本発明の反射部材に相当する。
【００７９】
変形例２では、操作部２１の操作により、４つの光源４６１すべてが点灯する。図１５Ａに示すように、先端工具８が前方に延出している場合、反射板５６５の開口が前を向くように回転させる。これにより、４つの光源４６１のすべての光を前方に集めることができる。図１５Ｂに示すように、先端工具８が前方から時計回り方向に６０°傾斜した位置に取り付けられている場合は、反射板５６５の開口が先端工具８の延出方向と同一の方向に向くように反射板５６５を回転させる。
【００８０】
このような構成によると、４つの光源４６１のすべての光を反射板５６５が開口している方向に集めることができるため、明るい環境のなかで作業を行うことができる。これにより、暗所等での作業効率が改善される。また、反射板５６５を設けなくてもよい。この場合、光源４６１が前後左右に設けられており出力軸５１の周りに全体的に照射されることになるため、先端工具８の取付位置を変更しても先端工具８を照らすことができる。さらに、反射板５６５を設けず光源４６１を１つとしてもよい。光源４６１は反射面５６４Ａによって全方向を照射することができるため、先端工具８の取付位置を変更しても先端工具８を照らすことができる。
【００８１】
本発明による電動工具は、上述した実施の形態に限定されず、たとえば特許請求の範囲に記載された発明の要旨の範囲内で種々の変更が可能である。
【００８２】
第１の実施の形態及び変形例では、操作部２１の操作に連動して光源６１が点灯したが、別途光源の点灯用スイッチを設けてもよい。これにより、電動工具１が動作していない場合であっても、光源６１を点灯させることができる。これにより、暗所での作業効率のさらなる改善を図ることができる。
【００８３】
第１の実施の形態及び変形例では、照射ユニットはハウジング２の前面に設けられていたが、これに限定されない。例えば、ハウジング２の左右方向側面２Ｃに照明ユニットを設けてもよく、上面２Ａに照明ユニットを設けてもよい。これにより、さらなる広範囲に光を照射することが可能となり、長い先端工具８を用いた場合であっても、確実に光を照射することができる。この場合、光源を先端工具の延出方向に向くように取り付ける、或いは反射板を用いて光を先端工具の延出方向に集めるようにすればよい。さらに、照射ユニットを上面２Ａで且つ前方側のハウジング２に設けてもよい。この場合、照射ユニットを回転軸６１ａに対して周方向に回動可能に構成すれば、先端工具８の取付位置に応じて照射方向を変更することができる。
【００８４】
第２の実施の形態及び変形例では、ハウジング２の下面２Ｂに照明ユニットを設けたが、側面２Ｃに照明ユニットを設けてもよい。これにより、さらなる広範囲に光を照射することが可能となり、長い先端工具８を用いた場合であっても、確実に光を照射することができる。この場合、光源を先端工具の延出方向に向くように取り付ける、或いは反射板を用いて光を先端工具の延出方向に集めるようにすればよい。
【００８５】
第２の実施の形態では、光源６１は水平方向を向くように光源ホルダ３６４に取付けられていたが、図１６に示すように、光源５６１を斜め下方に向くように取付けてもよい。これにより、照射範囲５６１ｂで示すように、先端工具８の周辺を的確に照射することができる。また、光源５６１を真下に向くように取付けてもよい。これにより、より強い光の元、作業を行うことができる。
【００８６】
第２の実施の形態では、矢印４２１Ａの位置に基づいて、光源３６１を点灯させたが、常に４つの光源すべてを点灯させてもよい。また、矢印４２１Ａの位置に基づいて光源すべてを点灯するように選択できるようにしてもよい。これにより、先端工具８をどの方向に取付けたとしても、確実に光源からの光で先端工具８及びその周辺を照射することができる。
【００８７】
第２の実施の形態では、４つの光源が設けられていたが、２つでも３つでもよく、５つ以上の光源を設けてもよい。この場合は、各光源は、円周方向に等間隔に配置されることが好ましい。
【００８８】
第２の実施の形態では、ハウジング２側に略Ｕ字状の第１電極３２１を設け、光源ホルダ３６４側に円周方向全周に亘って第２電極３６５を設けたが、これに限定されない。例えば、ハウジング２側に円周方向全周に亘って第２電極３６５に相当する電極を設け、光源ホルダ３６４側に略Ｕ字状の第１電極３２１に相当する電極を設けてもよい。
【００８９】
第２の実施の形態では、第２電極３６５は、円周方向全周に亘って設けられたが、これに限定されない。例えば、光源ホルダの可動範囲が限定的である場合には、円周方向に部分的に亘って設けられていてもよい。ただし、この場合は、電極が設けられる位置は、光源ホルダの可動範囲において照明ユニットに電力を供給可能な位置である必要がある。具体的には、光源ホルダが、前方約１８０°に亘って回転可能である場合には、第２電極は、少なくとも１８０°に亘って設けられていればよい。
【００９０】
第２の実施の形態では、光源ホルダ３６４は、円周方向に回転可能であったが、これに限定されず、ハウジング２に対して可動であればよい。例えば、光源ホルダは前後方向に移動可能であってもよく、ハウジング２の前面に沿って円弧状に移動可能であってもよい。これにより、本発明と同様の効果を得ることができる。また、光源ホルダは、上下方向に移動可能であってもよく、前方に向かうにつれて下方に傾斜するような傾斜面に沿って移動可能であってもよい。これにより、光源の照射範囲を広げることができる。
【００９１】
第２の実施の形態の変形例１及び２では、光源ホルダはハウジングに固定されていたが、これに限定されない。例えば、ハウジングに回動可能に設けられていてもよい。この場合は、可動の光源ユニットに複数の光源が設けられていることから、より明るい環境の下作業を行うことができる。これにより、暗所での作業効率の更なる改善を図ることができる。
【００９２】
上述の実施の形態では、駆動源として電動モータを用いたが、エアモータを用いてもよい。また、電池７に替えて、商用電源またはエアー源に接続可能なコード部を備えていてもよい。
【符号の説明】
【００９３】
１・・電動工具  ２・・ハウジング  ３・・モータ  ４・・振動機構部  ５・・出力部  ６、３０６・・照射ユニット  ７・・電池  ８・・先端工具  ２１・・操作部  ２４・・駆動回路  ２５・・ダイヤル  ３１・・モータ出力軸  ５１・・出力軸  ５５・・工具取付部  ６１，１６１、３６１、４６１・・光源  ６２・・光源ホルダ  ６３・・反射体  ６４・・反射体ホルダ  ３６４、４６４、５６４・・光源ホルダ
【図１】
2014198354.tif 000005
【図２】
2014198354.tif 000006
【図３】
2014198354.tif 000007
【図４】
2014198354.tif 000008
【図５】
2014198354.tif 000009
【図６】
2014198354.tif 000010
【図７】
2014198354.tif 000011
【図８】
2014198354.tif 000012
【図９】
2014198354.tif 000013
【図１０】
2014198354.tif 000014
【図１１】
2014198354.tif 000015
【図１２】
2014198354.tif 000016
【図１３】
2014198354.tif 000017
【図１４】
2014198354.tif 000018
【図１５】
2014198354.tif 000019
【図１６】
2014198354.tif 000020